【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
機器本体が使用者の頭部に装着される頭部装着型機器であって、
前記機器本体を支持可能であり、該機器本体が前記頭部に装着された状態で該頭部の左右において該頭部の前後方向に延びるフレームと、
前記フレーム及び前記機器本体の少なくとも一方に設けられ、前記頭部の前頭部に押圧される前押圧部と、
前記フレームの左右それぞれの部分に、前記機器本体が前記頭部に装着された状態における該頭部の前後方向に移動可能に取り付けられた第１および第２の調節部材と、
前記頭部の後頭部に押圧される後押圧部を有し、前記第１および第２の調節部材によって保持される後側部材と、
前記第１および第２の調節部材のうち一方の調節部材が前記フレームに対して移動したときに、他方の調節部材を前記フレームに対して前記一方の調節部材と同じ方向に同じ量移動させる連動機構とを有することを特徴とする頭部装着型機器。
【請求項２】
前記連動機構は、それぞれ一端が前記第１および第２の調節部材に固定された第１および第２の部材と、該第１および第２の部材に形成されたラック歯に噛み合うピニオンとを有し、
前記第１および第２の部材のラック歯が、前記ピニオンにおける互いに反対側の部分に噛み合っていることを特徴とする請求項１に記載の頭部装着型機器。
【請求項３】
前記各調節部材は、該調節部材の前記フレームに対する前後の移動方向のうちの一方の方向への移動をロックする機能および該ロックを解除するための操作機能を備えたロック機構を備え、
前記ロック機構のロック解除操作の方向が前記一方の方向と同一であることを特徴とする請求項１又は２に記載の頭部装着型機器。
【請求項４】
前記ロック機構は、前記調節部材の前記フレームに対する前方への移動を許容し、後方への移動をロックするワンウェイクラッチを含むことを特徴とする請求項３に記載の頭部装着型機器。
【請求項５】
前記調節部材は、前記ロック機構をロック解除状態に保持する機構を備えていることを特徴とする請求項３又は４に記載の頭部装着型機器。
【請求項６】
機器本体が使用者の頭部に装着される頭部装着型機器であって、
前記機器本体を支持可能であり、前記機器本体が前記頭部に装着された状態で該頭部の左右において該頭部の前後方向に延びるフレームと、
前記フレーム及び前記機器本体のうち少なくとも一方に設けられ、前記頭部の前頭部に押圧される前押圧部と、
前記フレームの左右それぞれの部分に、前記機器本体が前記頭部に装着された状態における該頭部の前後方向に移動可能に取り付けられた第１および第２の調節部材と、
前記頭部の後頭部に押圧される後押圧部を有し、前記第１および第２の調節部材によって保持される後側部材とを有し、
前記各調節部材は、該調節部材の前記フレームに対する前後の移動方向のうちの一方の方向への移動をロックする機能および該ロックを解除するための操作機能を備えたロック機構を備え、
前記ロック機構のロック解除操作の方向が前記一方の方向と同一であることを特徴とする頭部装着型機器。
【請求項７】
前記ロック機構は、前記調節部材の前記フレームに対する前方への移動を許容し、後方への移動をロックするワンウェイクラッチを含むことを特徴とする請求項６に記載の頭部装着型機器。
【請求項８】
前記調節部材は、前記ロック機構をロック解除状態に保持する機構を備えていることを特徴とする請求項６又は７に記載の頭部装着型機器。
【請求項９】
前記機器本体は、映像を表示することを特徴とする請求項１から８のいずれか１つに記載の頭部装着型機器。
【手続補正２】
【補正対象書類名】明細書
【補正対象項目名】０００９
【補正方法】変更
【補正の内容】
【０００９】
本発明の一側面としての頭部装着型機器（第１の発明）は、機器本体を支持可能であり、該機器本体が頭部に装着された状態で該頭部の左右において該頭部の前後方向に延びるフレームと、フレーム及び機器本体の少なくとも一方に設けられ、頭部の前頭部に押圧される前押圧部と、フレームの左右それぞれの部分に、機器本体が頭部に装着された状態における該頭部の前後方向に移動可能に取り付けられた第１および第２の調節部材と、頭部の後頭部に押圧される後押圧部を有し、第１および第２の調節部材によって保持される後側部材とを有する。さらに、第１および第２の調節部材のうち一方の調節部材がフレームに対して移動したときに、他方の調節部材をフレームに対して該一方の調節部材と同じ方向に同じ量移動させる連動機構とを有する。
【手続補正３】
【補正対象書類名】明細書
【補正対象項目名】００１０
【補正方法】変更
【補正の内容】
【００１０】
本発明の別側面としての頭部装着型機器（第２の発明）は、機器本体を支持可能であり、該機器本体が頭部に装着された状態で該頭部の左右において前後方向に延びるフレームと、フレーム及び機器本体のうち少なくとも一方に設けられ、該頭部の前頭部に押圧される前押圧部と、フレームの左右それぞれの部分に、機器本体が頭部に装着された状態における該頭部の前後方向に移動可能に取り付けられた第１および第２の調節部材と、頭部の後頭部に押圧される後押圧部を有し、第１および第２の調節部材によって保持される後側部材とを有する。各調節部材は、その調節部材のフレームに対する前後の移動方向のうちの一方の方向への移動をロックする機能およびロックを解除するための操作機能を備えたロック機構を備え、ロック機構のロック解除操作の方向が前述の一方の方向と同一である。
【手続補正４】
【補正対象書類名】明細書
【補正対象項目名】００１１
【補正方法】変更
【補正の内容】
【００１１】
第１の発明によれば、左右に設けられた調節部材のうち一方を操作してフレームに対して移動させれば、連動機構によって他方の調節部材も同じ方向に同じ量移動するため、左右の調節部材を左右対称位置に保つことができる。このため、前押圧部に対して後押圧部が左右にずれることがない。したがって、良好な操作性を有しながらも、安定した装着状態が得られ、かつ装着感も良好なものとすることができる。また、調節部材が左右に配置されているので、両手で頭部装着型機器を支えながら頭部に装着することができ、装着性に優れている。
【手続補正５】
【補正対象書類名】明細書
【補正対象項目名】００１９
【補正方法】変更
【補正の内容】
【００１９】
フレーム２の長手方向に対する断面は、その全周にわたって矩形枠形状を有する。図２に示すように、フレーム２のうち頭部Ｈの左右において前後方向に延びる部分（以下、左フレーム部および右フレーム部という）２Ｌ，２Ｒの内側にはそれぞれ、該左右フレーム部２Ｌ，２Ｒに沿って前後方向に移動可能な左調節部材４Ｌおよび右調節部材４Ｒ（第１および第２の調節部材）が収容されている。
【手続補正６】
【補正対象書類名】明細書
【補正対象項目名】００２２
【補正方法】変更
【補正の内容】
【００２２】
さらに、右調節部材４Ｒには、右サブバンド８Ｒの前端（一端）が固定されている。また、左調節部材４Ｌには、左サブバンド８Ｌの前端（一端）が固定されている。左右サブバント（第１および第２の部材）８Ｌ，８Ｒはそれぞれ、左右フレーム部２Ｌ，２Ｒの内部を通ってフレーム２のうち後側の部分（以下、後フレーム部という）２Ｂに延びている。そして、左右サブバント８Ｌ，８Ｒの後側部分は、後フレーム部２Ｂ内において前後方向に重なっている。
【手続補正７】
【補正対象書類名】明細書
【補正対象項目名】００３５
【補正方法】変更
【補正の内容】
【００３５】
これにより、左調節部材４Ｌが右調節部材４Ｒと連動して前方、すなわち右調節部材４Ｒの移動方向と同じ方向に移動する。しかも、左右サブバンド８Ｌ，８Ｒが噛み合うピニオンギヤ９は同一のものであるので、左調節部材４Ｌの前方への移動量は、右調節部材４Ｒの移動量と同じになる。同じとは、完全に一致する場合と、例えばピニオン９およびラック歯８Ｌ１，８Ｒ１間のバックラッシによる微小な差が生じる場合の双方を含む。
【手続補正８】
【補正対象書類名】明細書
【補正対象項目名】００３６
【補正方法】変更
【補正の内容】
【００３６】
このように、右調節部材４Ｒを前方に移動させるよう操作すると、左調節部材４Ｌがこれに連動して同方向に同量移動するので、左右調節部材４Ｌ，４Ｒによってバンド６を介して保持された後押圧部７が前押圧部３に対して左右にずれることなく、前後押圧部３，７間の間隔を狭めて頭部Ｈを締め付けることができる。したがって、頭部Ｈへの装着時において、安定した装着性と快適な装着感を得ることができる。しかも、連動機構やロック機構の構造が簡単であり、ヘッドマウントディスプレイの小型化および軽量化に有効である。
【手続補正９】
【補正対象書類名】明細書
【補正対象項目名】００３７
【補正方法】変更
【補正の内容】
【００３７】
なお、左調節部材４Ｌを前方に移動させるよう操作した場合でも、右調節部材４Ｒがこれに連動して同方向に同量移動し、同様の効果を得ることができる。
【手続補正１０】
【補正対象書類名】明細書
【補正対象項目名】００４９
【補正方法】変更
【補正の内容】
【００４９】
そして、左端側部分２２Ｌおよび右端側部分２２Ｒの矩形枠部の内側には、ピニオンギヤ２３が配置されている。ピニオンギヤ２３は、前後方向に延びる回転軸を中心として回転する。左端側部分２２Ｌに設けられたラック歯２２Ｌ１と右端側部分２２Ｒに設けられたラック歯２２Ｒ１とは、フレーム２１の前部内の略中央に設けられたピニオンギヤ２３における回転中心を挟んだ互いに反対側の部分に噛み合っている。これらバンド２２（ラック歯２２Ｌ１，２２Ｒ１）およびピニオンギヤ２３により連動機構が構成される。
【手続補正１１】
【補正対象書類名】明細書
【補正対象項目名】００５３
【補正方法】変更
【補正の内容】
【００５３】
本実施例においても、実施例１と同様に、左調節部材４Ｌが右調節部材４Ｒと連動して前方、すなわち右調節部材４Ｒの移動方向と同じ方向に移動する。これにより、後押圧部７が前方に移動する。しかも、バンド２２の左端側部分２２Ｌおよび右端側部分２２Ｒに形成されたラック歯２２Ｌ１，２２Ｒ１が噛み合うピニオンギヤ２３は同一のものである。このため、左調節部材４Ｌの前方への移動量は、右調節部材４Ｒの移動量と同じになる。同じとは、完全に一致する場合と、例えばピニオン２３およびラック歯２２Ｌ１，２２Ｒ１間のバックラッシによる微小な差が生じる場合の双方を含む。これにより、前押圧部３に対して後押圧部７が左右にずれることなく、頭部を締め付けることができる。したがって、頭部Ｈへの装着時において、安定した装着性と快適な装着感を得ることができる。また、実施例１と同様に、連動機構やロック機構の構造が簡単であり、ヘッドマウントディスプレイの小型化および軽量化に有効である。
【手続補正１２】
【補正対象書類名】明細書
【補正対象項目名】００５４
【補正方法】変更
【補正の内容】
【００５４】
また、左調節部材４Ｌを前方に移動させるよう操作した場合でも、右調節部材４Ｒがこれに連動して同方向に同量移動し、同様の効果を得ることができる。締め付けを緩める際の操作は、実施例１と同じである。